【手続補正書】
【提出日】平成20年8月25日(2008.8.25)
【手続補正１】
【補正対象書類名】明細書
【補正対象項目名】全文
【補正方法】変更
【補正の内容】
【書類名】      明細書
【発明の名称】  遊技島の紙幣搬送装置
【特許請求の範囲】
【請求項１】  複数の遊技台と、遊技媒体を貸出す遊技媒体貸出機と、前記各遊技台の上部近傍の取付部材に設けた遊技島設備品と、前記遊技媒体貸出機の紙幣投入口に投入された紙幣を搬送する紙幣搬送装置とを備えた遊技島の紙幣搬送装置であって、
前記紙幣搬送装置は、遊技台の上部近傍の取付部材と、前記遊技島設備品との間に取付けられている、遊技島の紙幣搬送装置。
【発明の詳細な説明】
【０００１】
【発明の属する技術分野】
本発明は、遊技台（パチンコ台やスロットマシン台等）と、遊技媒体（パチンコ玉やメダル）を貸出す遊技媒体貸出機とが配設された遊技島に設置され、該遊技媒体を貸出すために遊技媒体貸出機に投入された紙幣（紙幣やカード類）を搬送する紙幣搬送装置に関り、さらに詳しくは、各遊技台の上部近傍の前面側（遊技島の外側）に取り付けられるようにユニット式（ユニット本体）として構成された紙幣搬送装置に関するものである。
【０００２】
【従来の技術】
通常、遊技島（例えば、スロットマシンを配設した島）は、図９に示すように構築されている。
図９において、遊技島１は、横方向に直線状に配置された複数台の遊技台（図示の場合、スロットマシン）２、２、・・・と、互いに隣接する各遊技台２の間（図では二台に一台の間）に配設された遊技媒体貸出機（図示の場合、台間メダル貸出機）３、３、・・・と、各遊技台２、２、・・・の上方に設けられた遊技島設備品（例えば、呼び出しランプ）５、５、・・・と、さらにその上方に設けられたストック箱等を置いておく玉箱収納部６、６、・・・と、から構築されている。
【０００３】
上記した遊技島１は、図示しない柱部材と水平部材により構築された支持枠体内に、上述した各遊技台２、２、・・・及び遊技媒体貸出機３、３、・・・を組み込むと共に、各遊技台２、２、・・・の上方に上記遊技島設備品５、５、・・・及びストック箱等を置いておく玉箱収納部６、６、・・・を配置することにより、組み立てられる。
【０００４】
一般的に遊技島に設置された遊技媒体貸出機３は、投入した紙幣を紙幣識別した後、内部の収納装置付紙幣識別装置に収納するように構成されており、遊技媒体貸出機３に投入された紙幣で満杯になった時は、遊技店の店員が遊技媒体貸出機３の前面扉を開いて内方側の収納装置付紙幣識別装置に収納された満杯になった紙幣を手作業にて回収する必要があった。
【０００５】
これに対して、紙幣の手作業による回収を排除するために昨今は、各遊技媒体貸出機３、３、・・・の遊技島の内部の背面側に、紙幣搬送装置を備えた遊技島が、例えば実開平４−９０３８９号公報（以下、先行技術１という）に開示されている。
【０００６】
この遊技島においては、図１０及び図１１に示すように、遊技媒体の貸出のために投入された紙幣が、各遊技媒体貸出機３、３、・・・の上方に設けられた紙幣投入口３ａから紙幣識別装置３ｂを介して紙幣を起立姿勢で搬送する紙幣搬送装置４により、遊技島１の端部に設けた島管理装置内に搬送し、内方側の紙幣収納装置にて、整列・収納されるように成っている。
【０００７】
このような構成の遊技島１によれば、各遊技台２、２、・・・に、遊技媒体貸出機３、３、・・・が設けられていることにより、遊技者は、遊技台２に隣接した遊技媒体貸出機３の紙幣投入口３ａから紙幣を投入することにより、遊技媒体の貸出を受けることが出来るように成っている。
また、店員は従来のように各遊技媒体貸出機３、３、・・・の内方側の収納装置付紙幣識別装置に収納された紙幣をわざわざ回収する手作業がなくなる。
【０００８】
これに対して、図１２に示すような構成の紙幣搬送装置が、例えば特開平６−１３９４３５号（以下、先行技術２という）に開示されている。
図１２において、投入された紙幣をベタ姿勢で搬送する紙幣搬送装置７が遊技島の各遊技台２の上方外部に取り付けられ、前述した呼び出しランプ５及びストック箱等を置いておく玉箱収納部６の上方で、前方に張り出すように配設されており、下方に向かって開口した紙幣投入口７ａから紙幣識別装置７ｂを介して搬送される紙幣を、遊技島の端部に設けられた島管理装置に搬送し、内方側の紙幣収納装置にて、ベタ姿勢の紙幣を整列・収納されるように成っている。
【０００９】
【発明が解決しようとする課題】
しかしながら、上述した先行技術１又は先行技術２の紙幣搬送装置４又は７は、以下のような課題が指摘されていた。
即ち、何れの紙幣搬送装置４又は７においても、紙幣搬送装置（紙幣搬送装置付台間メダル貸出機等）を備えていない遊技島に新たに設置しようとすると、遊技島を構成する各遊技台及び遊技媒体貸出機の上部の大掛かりな施工（島改築）が必要となり、多大のコスト及び時間を要してしまっていた。
【００１０】
さらに、上述した先行技術１の紙幣搬送装置４においては、遊技島の両面に遊技台が並んで配置される場合、互いに背中合わせに配置される遊技台の間に、紙幣搬送装置が配置されるものの、紙幣搬送装置を取り付ける際に、遊技島の各遊技台の上部の大掛かりな島改築が必要と成るため紙幣搬送装置の取付コストが高価となってしまい、また、互いに背中合わせに配置される遊技台の間を広い空間としなければならないので幅広の遊技島となってしまい店内のスペースを有効活用が出来ない。
【００１１】
また、上述した先行技術２の紙幣搬送装置７においては、紙幣投入口が遊技台の真上、遊技島設備品（呼び出しランプ５及びストック箱を置いておく玉箱収納部６）の上方に位置することから、紙幣投入口がかなり高い位置になってしまうと共に、紙幣投入姿勢が垂直方向となるため、遊技者が紙幣投入口に紙幣を投入する際、いちいち中腰になって手を伸ばし、紙幣投入口に向けて投入するため投入し難くかった。そのため、遊技媒体の貸出の意欲がなくなり、遊技店では売上減と成っていた。
【００１２】
本発明は、以上の点に鑑み、紙幣搬送装置が、簡易に各遊技台の上部近傍の前面側に取り付けられることにより、従来の紙幣搬送装置のない遊技島にも大掛かりな島改築を必要せず、容易な作業によって短時間で取り付けることが出来るようにした、遊技島の紙幣搬送装置を提供することを目的としている。
【００１３】
【課題を解決するための手段】
上記目的は、本発明の請求項１によれば、複数の遊技台と、遊技媒体を貸出す遊技媒体貸出機と、前記各遊技台の上部近傍の取付部材に設けた遊技島設備品と、前記遊技媒体貸出機の紙幣投入口に投入された紙幣を搬送する紙幣搬送装置とを備えた遊技島の紙幣搬送装置であって、
前記紙幣搬送装置は、遊技台の上部近傍の取付部材と、前記遊技島設備品との間に取付けられていることにより、達成される。
【００１４】
遊技台の上部近傍の前面側に取り付けられた紙幣搬送装置の紙幣投入口から紙幣を投入すると、この紙幣は紙幣識別装置により真券か否かを識別された後、搬送路内に進入し、駆動部により搬送されると共に、紙幣識別装置の識別結果に基づいて、遊技媒体貸出機から所定数の遊技媒体が貸出されることに成る。
【００１５】
このように、各紙幣搬送装置は、それぞれ遊技台の上部近傍の前面側（遊技島の外部に）に取り付けるだけで済み、従来の紙幣搬送装置のない遊技島に紙幣搬送装置を設ける場合においても遊技島の大掛かりな改築や施工を行なう必要がなくなり、低コストで且つ短時間で紙幣搬送装置を設置することが出来る。
さらに、本紙幣搬送装置を遊技台の上部近傍の前面側に取り付けても、紙幣搬送装置の奥行きが幅薄となり、特に紙幣搬送装置のない遊技島に本紙幣搬送装置を取付けても遊技台の前面への突出部分をより小さくすることが出来る。
【００１６】
【発明の実施の形態】
以下、図面に示した実施形態に基づいて、本発明を詳細に説明していく。
図１及び図２は、本発明による遊技島の紙幣搬送装置が使用される遊技島を示している。
図１及び図２において、遊技島１０は、横方向に直線状に配置された複数台の遊技台（図示の場合、例えばスロットマシン）１１、１１、・・・と、互いに隣接する各遊技台１１、１１、・・・の間に配設される薄型形状の遊技媒体貸出機（図示の場合、例えば台間メダル貸出機）１２、１２、・・・と、各遊技台１１、１１、・・・の前面側に設けられる遊技島設備品（呼び出しランプ）１３、１３、・・・と、さらにその上方に設けられたストック箱等を置いておく玉箱収納部（図示省略するが図９と同様）と、から構築されている。
【００１７】
さらに、各遊技媒体貸出機１２に投入された紙幣（例えば、千円紙幣）を収納するために、遊技島１０には、紙幣搬送部１４が設けられており、当該紙幣搬送部１４によって、遊技島１０の端部に設けられた島管理装置１５に搬送され、整列・収納されるように成っている。尚、この整列収納する際、回収した紙幣は計数センサ（図示せず）にて計数し、売上カウントするように成している。
ここでの島管理装置１５は、回収した紙幣を内方側に整列収納する構造のみとしたが、回収した紙幣（千円紙幣）を高額紙幣の両替紙幣用としてリサイクルする構造を備えたリサイクル両替機としても良い。
【００１８】
上記遊技島１０は、図示しない柱部材と水平部材により構成された支持枠体内に、上述した各遊技台１１、１１、・・・及び遊技媒体貸出機１２、１２、・・・を組み込むと共に、各遊技台１１、１１、・・・の上方に上記遊技島設備品１３、１３、・・・及びストック箱等を置いておく玉箱収納部を配置することにより、組み立てられる。
【００１９】
上記各遊技媒体貸出機１２は、後述するように紙幣投入口２３及び紙幣識別装置２４が、遊技媒体貸出機本体部１２ａ（図３参照）とは別体に構成され、後述する紙幣搬送装置内に組み込まれることにより、遊技媒体貸出機本体部１２ａの上部に配置されている。
【００２０】
上記遊技島設備品１３は、ここでは呼び出しランプとして構成されており、遊技台１１の上部前面に配置されるようになっており、この場合、後述する紙幣搬送装置２０の前面側に取り付けられる。また、呼び出しランプとしたが、遊技店の要望に応じてストック箱等を置いておく玉箱収納部の構成を上部前面に配置するようにしても良い。
【００２１】
上記紙幣搬送部１４は、各遊技台１１の上部近傍にそれぞれ取り付けられる紙幣搬送装置２０から構成されている。
各紙幣搬送装置２０は、図４乃至図６に示すように、ユニット本体２１と、ユニット本体２１内に構成された搬送路２２と、搬送路２２の一側（図示の場合、右側）の一端側に設けられた縦型の紙幣投入口２３及び紙幣識別装置２４と、紙幣を搬送路２２に沿って搬送させるための駆動部２５（図８（Ｂ）参照）と、から成るユニットとして構成されている。
【００２２】
上記ユニット本体２１は、前後方向に関して薄型の扁平な長方体状に形成されており、横方向に関して遊技台１１のピッチとほぼ同じ長さを有している。
そして、上記ユニット本体２１は、図３に示すように、遊技台１１の上部近傍に設けられた取付部材１１ａに対して着脱自在と成し、位置決め・固定されるように成っている。
具体的には、ユニット本体２１の背面に設けられた位置決めボス２１ａが、取付部材１１ａに設けられた位置決め穴１１ｂ内に挿入されることにより、ユニット本体２１が取付部材１１ａに対して位置決めされ、取付部材１１ａの背面から位置決めボス２１ａに固定ネジが螺合され、締め付けられることにより、ユニット本体２１が取付部材１１ａに対して着脱可能に固定保持されることになる。
尚、ここでは位置決めボス２１ａと位置決め穴１１ｂとしたが、他の着脱構造（例えば、嵌合部材等による取り外し可能な構造）としても良い。
【００２３】
さらに、上記ユニット本体２１は、その前面カバー２１ｂが、他端で紙幣識別装置２４に対して、蝶番２１ｅ等によって揺動可能に支持されており、これにより、ベース部２１ｃとの間に構成される内部の搬送路２２を水平方向に開閉可能に覆うように成っている。その前面カバー２１ｂには、上述した遊技島設備品１３の呼び出しランプが図示しないネジ等により取り付けられるように成っている。
このように、前面カバー２１ｂが開かれることにより、何れかの搬送路２２の途中で紙幣詰まり等のトラブルが生じても素早く対処（メンテナンス）することが出来る。また、ここでは前面カバー２１ｂを開閉可能の構成にて説明したが、他の構造（例えば、嵌合部材等による取り外し可能な構造）としても良い。
さらに、前面カバー２１ｂを開閉する際は、店員が鍵穴２１ｆにて施錠装置を操作することによって、店員のみが開閉することが出来、第三者による不正（盗難）な開閉操作が出来ないように成っている。また、図示しないが前面カバー２１ｂにセンサを設けておき、施錠装置以外の不正な開閉操作が行われた際は、センサの検知により店員等に報知するようにしても良い。
【００２４】
上記搬送路２２は、紙幣搬送装置２０の横方向全体に亘って延びるように構成されており、図７（Ａ）に示すように、上記ベース部２１ｃの前面に配置された搬送平ベルト２２ａと、この搬送平ベルト２２ａを両端及び中間部で支持・張架するローラ２２ｂと、さらに前面カバー２１ｂ側に設けられた二本のガイドレール２１ｄと、から構成されている。搬送平ベルト２２ａは、好ましくは平ベルトから成り、ユニット本体２１の長さと略同じ長さに巻回されている。
この場合、搬送路２２は、上流側（右方）から下流側（左方）に向かって紙幣を搬送するように成っており、最も他端側には図６（Ｂ）及び図８（Ｂ）に示すようにハの字状に広がっているスライド自在の連結部が設けられ、隣接する上流側（右方）の紙幣搬送装置２０の搬送路２２からの紙幣が詰まることなく受け渡すことが出来るように成っている。
尚、ここではローラ２２ｂと平ベルト状の搬送平ベルト２２ａとから成る搬送路２２としたが、例えば、ローラ２２ｂと丸ベルト状の搬送丸ベルト２２ａ等の一般的に採用している搬送機構としても良い。
【００２５】
ここで、上記ローラ２２ｂは、上下端の軸方向中心付近が最大径を有する所謂樽型形状に形成され、ベース部２１ｃ側に軸支されている。また、上記突出した二本のガイドレール２１ｄ前面カバー２１ｂ側に設けられ、ローラ２２ｂの中央付近より上下の位置に間隔をおいて、搬送平ベルト２２ａを介してローラ２２ｂに当接するように構成されている。
これにより、搬送路２２を搬送される紙幣Ｍは、図７（Ａ）に示すように、ガイドレール２１ｄによりローラ２２ｂの表面に沿って湾曲した搬送平ベルト２２ａの表面に対して、略湾曲した状態で当接するように成っている。
尚、図７に示すように、ベース部２１ｃの上下端、即ち上記前面カバー２１ｂ側に設けられた二本のガイドレール２１ｄのさらに上部に位置して、二本のガイドレール２１ｇを設けることが好ましく、このことにより紙幣Ｍの上下が押さえられより安定して搬送されることとなる。
このようにして、搬送路２２は、一側にのみ搬送平ベルト２２ａ及びローラ２２ｂ備えることにより、ユニット本体が薄型に構成され得ることになる。
そして、店員によって、鍵穴２１ｆを介して施錠装置が操作されて前面カバー２１ｂが開かれると、図７（Ｂ）に示すように、ガイドレール２１ｄが搬送路２２から前方に退避することにより、紙幣Ｍが搬送平ベルト２２ａから離反する。
尚、上記した樽型形状に形成したローラ２２ｂの形状に限定されるものでなく、例えば、ローラの表面に凸部等を形成して搬送するグリップ力を備えたものとしても良い。
【００２６】
上記紙幣投入口２３は、紙幣搬送装置２０が遊技台１１の上部近傍に取り付けられたとき、遊技媒体貸出機１２の上部に位置し、遊技媒体貸出機１２の紙幣投入口として利用されるようになっており、起立姿勢に投入するように縦型形状に形成されている。
また、上記紙幣識別装置２４は、上記紙幣投入口２３に連接して設けられ、投入された紙幣を識別手段（例えば、センサ２４ａ）により真券か否かを識別するものであり、真券と識別すると、搬送部（図示せず）にて当該紙幣を奥に取り込んで搬送し、搬送路２２に合流させる。尚、真券の識別でないときは、搬送部が逆転して紙幣を紙幣投入口２３に戻すように成っている。
尚、上記各紙幣識別装置２４と各搬送路２２には、エスクロ機能するためのセンサ（図示せず）が備えられている。例えば、各搬送路２２の下流側より紙幣が搬送されている時、投入された紙幣は紙幣識別装置２４内部に一時保留させておき、搬送路２２内を通過した後に紙幣を取り込むように成している。
【００２７】
上記駆動部２５は、図８に示すように、搬送平ベルト２２ａの一端（右側）のローラ２２ｂを駆動するための歯車部２５ａと、駆動モータ２５ｂに設けた歯車部と、から構成されており、該駆動モータ２５ｂを駆動すると、歯車部とが噛合って回転し歯車部２５ａとローラ２２ｂとが回転し、この回転に伴って搬送平ベルト２２ａが駆動し、搬送路２２の右側及び紙幣識別装置２４からの紙幣を他端（左側）に搬送するように成っている。
【００２８】
遊技島の上部近傍の前面側に取り付けられた紙幣搬送装置２０は、以上のように構成されており、以下に示すように動作する。
紙幣搬送装置２０において、駆動モータ２５ｂが駆動すると歯車部と噛合う歯車部２５ａが回転駆動し、これにより搬送平ベルト２２ａを介して各ローラ２２ｂが回転駆動される。これにより、搬送路２２内にてガイドレール２１ｄにより搬送平ベルト２２ａを介してローラ２２ｂに当接された紙幣Ｍが確実に保持されて搬送される。
【００２９】
そして、図１及び図２にて隣接する一端（右側）の遊技台１１に取り付けられた紙幣搬送装置２０から進入する紙幣は、紙幣搬送装置２０の一端にて、搬送路２２内に進入し、該搬送平ベルト２２ａにより搬送され、搬送路２２の他端（左端）に達して、さらに隣接する他端（左側）の遊技台１１に取り付けられた各々の紙幣搬送装置２０にて搬送され、遊技島１０の端部の島管理装置１５内に整列収納される。
【００３０】
また、紙幣投入口２３に紙幣Ｍが投入されると、この紙幣Ｍは、紙幣識別装置２４により真券か否か識別された後、搬送路２２内に進入し、同様にして搬送平ベルト２２ａにより搬送され、搬送路２２の他端（左端）に達するように成っている。
尚、紙幣識別装置２４にて真券と識別された場合、その旨が遊技媒体貸出機１２に伝達され、遊技媒体貸出機１２内部に設けた遊技媒体払出し装置（図示せず）から投入した紙幣に相当する量の遊技媒体が貸出される。
【００３１】
この場合、遊技島１０全体に亘って延びる紙幣搬送部１４は、各遊技台１１の上部近傍に取り付けられた紙幣搬送装置２０により構成されており、各紙幣搬送装置２０は、それぞれユニットとして、対応する遊技台１１の上部近傍の前面側から取り付けるだけで済み、従来の紙幣搬送装置のない遊技島に紙幣搬送装置２０を設ける場合においても、遊技島１０の大掛かりな改築や施工を行なう必要がなくなり、低コストで且つ短時間で、紙幣搬送装置２０を設置することが出来る。
【００３２】
また、各紙幣搬送装置２０は、薄型に構成されているため遊技台１１の背面側への突出部が少なくなる。従って、遊技台１１が背中合わせで配設される両面島を構成する場合であっても、背中合わせの遊技台１１の間隔を狭くすることができるため、遊技島１０のスペースの有効に活用することが出来る。
【００３３】
また、搬送路２２が、開閉可能に構成されているため、搬送路途中にて紙幣詰まり等のトラブルが発生した場合でも、搬送路を開閉して詰まっている紙幣を素早く取り除くことが出来る。また、ユニット本体２１の前面カバー２１ｂの一端側に鍵穴２１ｆを介して操作する施錠装置が備えられているため、店員以外の遊技客には不正な開閉操作が出来ないように成っており、搬送途中の紙幣を抜き取る不正（盗難）が防止出来る。
【００３４】
また、ユニット本体２１の前面に、いろいろな遊技島設備品１３が取り付けられる構成に成っていて、遊技店が要望する遊技島設備品１３を配置することが出来る。遊技店によっては、ユニット本体２１の前面に呼び出しランプを取り付ける要望にも応じられ、さらにユニット本体の前面にストック箱の収納部を取り付けたい要望にも応じられる。
【００３５】
また、上述した実施形態においては、紙幣搬送装置２０の搬送路２２を構成するローラ２２ｂは、軸方向中心付近が最大径を有する樽型状に形成したものを採用しているが、これに限らず、軸方向の中央付近が両端より大径であれば、扁平な山形の断面を有したローラ２２ｂとしても良い。
【００３６】
また、上述した実施形態においての遊技媒体貸出機は、遊技媒体としてメダルを下方の受皿口に貸し出す台間メダル貸出機としたが、遊技台の上皿に直接貸し出すＣＲ用台間メダル貸出機としても良く、遊技媒体としてパチンコ玉を受皿口に貸し出す台間玉貸出機（ＣＲ用台間玉貸出機）としても良い。
また、遊技媒体貸出機に投入される紙幣は、千円紙幣としたが、高額紙幣等の貨幣としても良く、さらにカード（プリペイドカードやＩＣカード等）を投入して搬送するカード類搬送装置に採用しても良い。
【００３７】
【発明の効果】
以上の説明で明らかなように、複数の遊技台と、遊技媒体を貸出す遊技媒体貸出機と、前記各遊技台の上部近傍の取付部材に設けた遊技島設備品と、前記遊技媒体貸出機の紙幣投入口に投入された紙幣を搬送する紙幣搬送装置とを備えた遊技島の紙幣搬送装置であって、前記紙幣搬送装置は、遊技台の上部近傍の取付部材と、前記遊技島設備品との間に取付けられるようにしたので、遊技台の上部近傍の前面側に取り付けられた紙幣搬送装置の紙幣投入口から紙幣を投入すると、この紙幣は紙幣識別装置により真券か否かを識別された後、搬送路内に進入し、駆動部により搬送されると共に、紙幣識別装置の識別結果に基づいて、遊技媒体貸出機から所定数の遊技媒体が貸出されることに成る。
【００３８】
また、各紙幣搬送装置は、それぞれ遊技台の上部近傍の前面側（遊技島の外部に）に取り付けるだけで済み、従来の紙幣搬送装置のない遊技島に紙幣搬送装置を設ける場合においても遊技島の大掛かりな改築や施工を行なう必要がなくなり、低コストで且つ短時間で紙幣搬送装置を設置することが出来る。
さらに、本紙幣搬送装置を遊技台の上部近傍の前面側に取り付けても、紙幣搬送装置の奥行きが幅薄となり、特に紙幣搬送装置のない遊技島に本紙幣搬送装置を取付けても遊技台の前面への突出部分をより小さくすることが出来る。
【図面の簡単な説明】
【図１】
スロットマシンによる遊技島の一例の構成の一部を示す概略正面図である。
【図２】
図１の遊技島の概略斜視図である。
【図３】
図１の遊技島における遊技台への取付状態を示す本発明による紙幣搬送装置の一実施形態の概略斜視図である。
【図４】
図３の紙幣搬送装置を示す概略斜視図である。
【図５】
図４の紙幣搬送装置の分解斜視図である。
【図６】
図４の紙幣搬送装置を示し、（Ａ）は正面図，（Ｂ）は平面図、及び（Ｃ）は左側面図である。
【図７】
図４の紙幣搬送装置における搬送路を示し、（Ａ）は通常時，及び（Ｂ）は前面カバーを少し開いた状態の断面図である。
【図８】
図４の紙幣搬送装置における紙幣投入口及び紙幣識別装置を示し、（Ａ）は部分拡大正面図、及び（Ｂ）は部分拡大平面図である。
【図９】
従来のスロットマシンを備えた遊技島の一例の構成を示す正面図である。
【図１０】
従来の紙幣搬送装置を備えた遊技島の一例の構成の要部を示す概略斜視図である。
【図１１】
図１０の遊技島の概略断面図である。
【図１２】
従来の紙幣搬送装置を備えた遊技島の他の例の構成の要部を示す概略断面図である。
【符号の説明】
１１      遊技台
１２      遊技媒体貸出機
１２ａ    遊技媒体貸出機本体部
１３      遊技島設備品
１４      紙幣搬送部
２０      紙幣搬送装置
２１      ユニット本体
２１ｂ    前面カバー
２１ｃ    ベース部
２１ｄ    ガイドレール
２１ｇ    ガイドレール
２１ｆ    鍵穴（施錠装置）
２２      搬送路
２２ａ    搬送平ベルト
２２ｂ    ローラ
２３      紙幣投入口
２４      紙幣識別装置
２５      駆動部